【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
縦横のピクセル数と画素サイズとが等しく、互いに縁部を接して配置された第１及び第２ディスプレイに画像を表示させる表示制御装置であって、
表示画像を入力する入力手段と、
前記第２ディスプレイの、前記第１ディスプレイに対する相対位置を取得する位置取得手段と、
前記表示画像の全領域を前記第１及び第２ディスプレイで連続して表示するために該表示画像を変形するための変形パラメータを、前記相対位置に基づいて計算する計算手段と、
前記表示画像を、前記第１ディスプレイに表示すべき第１画像と、前記第２ディスプレイに表示すべき第２画像とに分割する分割手段と、
前記第１画像を前記変形パラメータに基づいて変形した画像を前記第１ディスプレイへ出力する第１出力手段と、
前記第２画像を前記変形パラメータに基づいて変形した画像を前記第２ディスプレイへ出力する第２出力手段と、
を備えることを特徴とする表示制御装置。
【請求項２】
縦方向のピクセル数と横方向のピクセル数との少なくともいずれかが異なる、互いに縁部を接して配置された第１及び第２ディスプレイに画像を表示させる表示制御装置であって、
表示画像を入力する入力手段と、
前記第２ディスプレイの、前記第１ディスプレイに対する相対位置を取得する位置取得手段と、
前記第１及び第２ディスプレイのそれぞれの、縦横のピクセル数を取得するピクセル数取得手段と、
前記表示画像の全領域を前記第１及び第２ディスプレイとで連続して表示するために該表示画像を変形するための変形パラメータを、前記相対位置と、前記第１及び第２ディスプレイの縦横のピクセル数と、に基づいて計算する計算手段と、
前記表示画像を、前記第１ディスプレイに表示すべき第１画像と、前記第２ディスプレイに表示すべき第２画像とに分割する分割手段と、
前記第１画像を前記変形パラメータに基づいて変形した画像を前記第１ディスプレイへ出力する第１出力手段と、
前記第２画像を前記変形パラメータに基づいて変形した画像を前記第２ディスプレイへ出力する第２出力手段と、
を備えることを特徴とする表示制御装置。
【請求項３】
前記ピクセル数取得手段は、前記第１及び第２ディスプレイとの通信によって前記ピクセル数を取得することを特徴とする請求項２に記載の表示制御装置。
【請求項４】
画素サイズが異なる、互いに縁部を接して配置された第１及び第２ディスプレイに画像を表示させる表示制御装置であって、
表示画像を入力する入力手段と、
前記第２ディスプレイの、前記第１ディスプレイに対する相対位置を取得する位置取得手段と、
前記第１及び第２ディスプレイのそれぞれの画素サイズを取得する画素サイズ取得手段と、
前記表示画像の全領域を前記第１及び第２ディスプレイとで連続して表示するために該表示画像を変形するための変形パラメータを、前記相対位置と取得した前記画素サイズとに基づいて計算する計算手段と、
前記表示画像を、前記第１ディスプレイに表示すべき第１画像と、前記第２ディスプレイに表示すべき第２画像とに分割する分割手段と、
前記第１画像を前記変形パラメータに基づいて変形した画像を前記第１ディスプレイへ出力する第１出力手段と、
前記第２画像を前記変形パラメータに基づいて変形した画像を前記第２ディスプレイへ出力する第２出力手段と、
を備えることを特徴とする表示制御装置。
【請求項５】
前記画素サイズ取得手段は、前記第１及び第２ディスプレイとの通信によって前記画素サイズを取得することを特徴とする請求項４に記載の表示制御装置。
【請求項６】
前記表示画像には１以上のグラフィックスが含まれ、
前記分割手段は、
前記グラフィックスの前記表示画像において存在する位置に基づいて、各グラフィックスを前記第１画像と前記第２画像とへ分類し、
前記グラフィックスが前記第１及び第２ディスプレイの境界を跨る場合は、該グラフィックスを該境界で分割して、前記第１画像と前記第２画像とへ分類し、
前記第１出力手段は、前記第１画像に分類されたグラフィックスを含む画像を変形した画像を前記第１ディスプレイへ出力し、
前記第２出力手段は、前記第２画像に分類されたグラフィックスを含む画像を変形した画像を前記第２ディスプレイへ出力する
ことを特徴とする請求項１乃至５のいずれか１項に記載の表示制御装置。
【請求項７】
前記計算手段は、２次元平面から２次元平面への単射の写像関数を定義するパラメータを前記変形パラメータとして計算する
ことを特徴とする請求項１乃至６のいずれか１項に記載の表示制御装置。
【請求項８】
前記写像関数は、２次元アフィン変換、３次元アフィン変換、又はこれらの組合せで表されることを特徴とする請求項７に記載の表示制御装置。
【請求項９】
前記第１ディスプレイの横方向をＸ軸、縦方向をＹ軸とした場合、前記写像関数は、ＸＹ座標系においてＸとＹとの方程式で表される
ことを特徴とする請求項７に記載の表示制御装置。
【請求項１０】
前記方程式はＸとＹとの多項式であることを特徴とする請求項９に記載の表示制御装置。
【請求項１１】
前記位置取得手段は、前記第１及び第２ディスプレイの境界における、前記第２ディスプレイの頂点のいずれかの位置に基づいて、前記相対位置を取得する
ことを特徴とする請求項１乃至１０のいずれか１項に記載の表示制御装置。
【請求項１２】
前記第２ディスプレイは光を発生する発光素子を側面に備え、前記第１ディスプレイは光を受け取る受光素子を側面に備え、
前記位置取得手段は、前記受光素子が受け取った光の分布に基づいて前記相対位置を取得する
ことを特徴とする請求項１乃至１０のいずれか１項に記載の表示制御装置。
【請求項１３】
縦横のピクセル数と画素サイズとが等しく、互いに縁部を接して配置された第１及び第２ディスプレイに画像を表示させる表示制御装置の表示制御方法であって、
入力手段が、表示画像を入力する入力工程と、
位置取得手段が、前記第２ディスプレイの、前記第１ディスプレイに対する相対位置を取得する位置取得工程と、
計算手段が、前記表示画像の全領域を前記第１及び第２ディスプレイとで連続して表示するために該表示画像を変形するための変形パラメータを、前記相対位置に基づいて計算する計算工程と、
分割手段が、前記表示画像を、前記第１ディスプレイに表示すべき第１画像と、前記第２ディスプレイに表示すべき第２画像とに分割する分割工程と、
第１出力手段が、前記第１画像を前記変形パラメータに基づいて変形した画像を前記第１ディスプレイへ出力する第１出力工程と、
第２出力手段が、前記第２画像を前記変形パラメータに基づいて変形した画像を前記第２ディスプレイへ出力する第２出力工程と、
を備えることを特徴とする表示制御方法。
【請求項１４】
縦方向のピクセル数と横方向のピクセル数との少なくともいずれかが異なり、画素サイズが等しい、互いに縁部を接して配置された第１及び第２ディスプレイに画像を表示させる表示制御装置の表示制御方法であって、
入力手段が、表示画像を入力する入力工程と、
位置取得手段が、前記第２ディスプレイの、前記第１ディスプレイに対する相対位置を取得する位置取得工程と、
ピクセル数取得手段が、前記第１及び第２ディスプレイのそれぞれの、縦横のピクセル数を取得するピクセル数取得工程と、
計算手段が、前記表示画像の全領域を前記第１及び第２ディスプレイとで連続して表示するために該表示画像を変形するための変形パラメータを、前記相対位置と、前記第１及び第２ディスプレイの縦横のピクセル数と、に基づいて計算する計算工程と、
分割手段が、前記表示画像を、前記第１ディスプレイに表示すべき第１画像と、前記第２ディスプレイに表示すべき第２画像とに分割する分割工程と、
第１出力手段が、前記第１画像を前記変形パラメータに基づいて変形した画像を前記第１ディスプレイへ出力する第１出力工程と、
第２出力手段が、前記第２画像を前記変形パラメータに基づいて変形した画像を前記第２ディスプレイへ出力する第２出力工程と、
を備えることを特徴とする表示制御方法。
【請求項１５】
縦横のピクセル数が等しく、画素サイズが異なる、互いに縁部を接して配置された第１及び第２ディスプレイに画像を表示させる表示制御装置の表示制御方法であって、
入力手段が、表示画像を入力する入力工程と、
位置取得手段が、前記第２ディスプレイの、前記第１ディスプレイに対する相対位置を取得する位置取得工程と、
画素サイズ取得手段が、前記第１及び第２ディスプレイのそれぞれの画素サイズを取得する画素サイズ取得工程と、
計算手段が、前記表示画像の全領域を前記第１及び第２ディスプレイとで連続して表示するために該表示画像を変形するための変形パラメータを、前記相対位置と取得した前記画素サイズとに基づいて計算する計算工程と、
分割手段が、前記表示画像を、前記第１ディスプレイに表示すべき第１画像と、前記第２ディスプレイに表示すべき第２画像とに分割する分割工程と、
第１出力手段が、前記第１画像を前記変形パラメータに基づいて変形した画像を前記第１ディスプレイへ出力する第１出力工程と、
第２出力手段が、前記第２画像を前記変形パラメータに基づいて変形した画像を前記第２ディスプレイへ出力する第２出力工程と、
を備えることを特徴とする表示制御方法。
【請求項１６】
コンピュータを請求項１乃至１２のいずれか１項に記載の表示制御装置が備える各手段として機能させるためのプログラム。
【請求項１７】
請求項１６に記載のプログラムを格納したコンピュータで読み取り可能な記録媒体。
【請求項１８】
請求項１乃至１２のいずれか１項に記載の表示制御装置を備えるディスプレイ装置。
【手続補正２】
【補正対象書類名】明細書
【補正対象項目名】０００７
【補正方法】変更
【補正の内容】
【０００７】
上記目的を達成するため、本発明による表示制御装置は以下の構成を備える。即ち、
縦横のピクセル数と画素サイズとが等しく、互いに縁部を接して配置された第１及び第２ディスプレイに画像を表示させる表示制御装置であって、
表示画像を入力する入力手段と、
前記第２ディスプレイの、前記第１ディスプレイに対する相対位置を取得する位置取得手段と、
前記表示画像の全領域を前記第１及び第２ディスプレイで連続して表示するために該表示画像を変形するための変形パラメータを、前記相対位置に基づいて計算する計算手段と、
前記表示画像を、前記第１ディスプレイに表示すべき第１画像と、前記第２ディスプレイに表示すべき第２画像とに分割する分割手段と、
前記第１画像を前記変形パラメータに基づいて変形した画像を前記第１ディスプレイへ出力する第１出力手段と、
前記第２画像を前記変形パラメータに基づいて変形した画像を前記第２ディスプレイへ出力する第２出力手段と、
を備える。
【手続補正３】
【補正対象書類名】明細書
【補正対象項目名】０００８
【補正方法】変更
【補正の内容】
【０００８】
また、本発明による別の表示制御装置は以下の構成を備える。即ち、
縦方向のピクセル数と横方向のピクセル数との少なくともいずれかが異なる、互いに縁部を接して配置された第１及び第２ディスプレイに画像を表示させる表示制御装置であって、
表示画像を入力する入力手段と、
前記第２ディスプレイの、前記第１ディスプレイに対する相対位置を取得する位置取得手段と、
前記第１及び第２ディスプレイのそれぞれの、縦横のピクセル数を取得するピクセル数取得手段と、
前記表示画像の全領域を前記第１及び第２ディスプレイとで連続して表示するために該表示画像を変形するための変形パラメータを、前記相対位置と、前記第１及び第２ディスプレイの縦横のピクセル数と、に基づいて計算する計算手段と、
前記表示画像を、前記第１ディスプレイに表示すべき第１画像と、前記第２ディスプレイに表示すべき第２画像とに分割する分割手段と、
前記第１画像を前記変形パラメータに基づいて変形した画像を前記第１ディスプレイへ出力する第１出力手段と、
前記第２画像を前記変形パラメータに基づいて変形した画像を前記第２ディスプレイへ出力する第２出力手段と、
を備える。
【手続補正４】
【補正対象書類名】明細書
【補正対象項目名】０００９
【補正方法】変更
【補正の内容】
【０００９】
また、本発明による別の表示制御装置は以下の構成を備える。即ち、
画素サイズが異なる、互いに縁部を接して配置された第１及び第２ディスプレイに画像を表示させる表示制御装置であって、
表示画像を入力する入力手段と、
前記第２ディスプレイの、前記第１ディスプレイに対する相対位置を取得する位置取得手段と、
前記第１及び第２ディスプレイのそれぞれの画素サイズを取得する画素サイズ取得手段と、
前記表示画像の全領域を前記第１及び第２ディスプレイとで連続して表示するために該表示画像を変形するための変形パラメータを、前記相対位置と取得した前記画素サイズとに基づいて計算する計算手段と、
前記表示画像を、前記第１ディスプレイに表示すべき第１画像と、前記第２ディスプレイに表示すべき第２画像とに分割する分割手段と、
前記第１画像を前記変形パラメータに基づいて変形した画像を前記第１ディスプレイへ出力する第１出力手段と、
前記第２画像を前記変形パラメータに基づいて変形した画像を前記第２ディスプレイへ出力する第２出力手段と、
を備える。
【手続補正５】
【補正対象書類名】明細書
【補正対象項目名】００１０
【補正方法】変更
【補正の内容】
【００１０】
本発明による表示制御装置の制御方法は以下の構成を備える。即ち、
縦横のピクセル数と画素サイズとが等しく、互いに縁部を接して配置された第１及び第２ディスプレイに画像を表示させる表示制御装置の表示制御方法であって、
入力手段が、表示画像を入力する入力工程と、
位置取得手段が、前記第２ディスプレイの、前記第１ディスプレイに対する相対位置を取得する位置取得工程と、
計算手段が、前記表示画像の全領域を前記第１及び第２ディスプレイとで連続して表示するために該表示画像を変形するための変形パラメータを、前記相対位置に基づいて計算する計算工程と、
分割手段が、前記表示画像を、前記第１ディスプレイに表示すべき第１画像と、前記第２ディスプレイに表示すべき第２画像とに分割する分割工程と、
第１出力手段が、前記第１画像を前記変形パラメータに基づいて変形した画像を前記第１ディスプレイへ出力する第１出力工程と、
第２出力手段が、前記第２画像を前記変形パラメータに基づいて変形した画像を前記第２ディスプレイへ出力する第２出力工程と、
を備える。
【手続補正６】
【補正対象書類名】明細書
【補正対象項目名】００１１
【補正方法】変更
【補正の内容】
【００１１】
本発明による別の表示制御装置の制御方法は以下の構成を備える。即ち、
縦方向のピクセル数と横方向のピクセル数との少なくともいずれかが異なり、画素サイズが等しい、互いに縁部を接して配置された第１及び第２ディスプレイに画像を表示させる表示制御装置の表示制御方法であって、
入力手段が、表示画像を入力する入力工程と、
位置取得手段が、前記第２ディスプレイの、前記第１ディスプレイに対する相対位置を取得する位置取得工程と、
ピクセル数取得手段が、前記第１及び第２ディスプレイのそれぞれの、縦横のピクセル数を取得するピクセル数取得工程と、
計算手段が、前記表示画像の全領域を前記第１及び第２ディスプレイとで連続して表示するために該表示画像を変形するための変形パラメータを、前記相対位置と、前記第１及び第２ディスプレイの縦横のピクセル数と、に基づいて計算する計算工程と、
分割手段が、前記表示画像を、前記第１ディスプレイに表示すべき第１画像と、前記第２ディスプレイに表示すべき第２画像とに分割する分割工程と、
第１出力手段が、前記第１画像を前記変形パラメータに基づいて変形した画像を前記第１ディスプレイへ出力する第１出力工程と、
第２出力手段が、前記第２画像を前記変形パラメータに基づいて変形した画像を前記第２ディスプレイへ出力する第２出力工程と、
を備える。
【手続補正７】
【補正対象書類名】明細書
【補正対象項目名】００１２
【補正方法】変更
【補正の内容】
【００１２】
本発明による別の表示制御装置の制御方法は以下の構成を備える。即ち、
縦横のピクセル数が等しく、画素サイズが異なる、互いに縁部を接して配置された第１及び第２ディスプレイに画像を表示させる表示制御装置の表示制御方法であって、
入力手段が、表示画像を入力する入力工程と、
位置取得手段が、前記第２ディスプレイの、前記第１ディスプレイに対する相対位置を取得する位置取得工程と、
画素サイズ取得手段が、前記第１及び第２ディスプレイのそれぞれの画素サイズを取得する画素サイズ取得工程と、
計算手段が、前記表示画像の全領域を前記第１及び第２ディスプレイとで連続して表示するために該表示画像を変形するための変形パラメータを、前記相対位置と取得した前記画素サイズとに基づいて計算する計算工程と、
分割手段が、前記表示画像を、前記第１ディスプレイに表示すべき第１画像と、前記第２ディスプレイに表示すべき第２画像とに分割する分割工程と、
第１出力手段が、前記第１画像を前記変形パラメータに基づいて変形した画像を前記第１ディスプレイへ出力する第１出力工程と、
第２出力手段が、前記第２画像を前記変形パラメータに基づいて変形した画像を前記第２ディスプレイへ出力する第２出力工程と、
を備える。